【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
トレーニング指導器具を用いてトレーニング対象者を指導するトレーニング指導装置であって、
前記トレーニング指導器具は、
トレーニング対象者の足の親指の第２関節と、人指し指、中指、薬指および小指の第３関節とを押さえる押さえ部と、
前記トレーニング対象者の足の踵を載せるための踵載部と、
前記トレーニング対象者の前記第２関節および前記第３関節を前記押さえ部によって押さえた状態において、前記踵載部が下地から上方向へ離れた位置にあるときに前記踵載部に印加された下地から上方向への第１の力よりも強い下地方向への第２の力が前記トレーニング対象者によって前記踵載部に印加されたことに応じて前記踵載部を前記下地方向へ移動させ、前記踵載部が下地から上方向における最高位置よりも低い位置にあるときに前記トレーニング対象者によって前記踵載部に印加された下地方向への力が前記第２の力よりも弱くなったことに応じて前記踵載部を下地から上方向へ移動させる制御部とを備え、
前記トレーニング指導装置は、
前記トレーニング対象者の足の前記第２関節および前記第３関節が前記押さえ部によって押さえられ、かつ、前記トレーニング対象者の足の踵が前記踵載部に着いた状態で、下地から上方向に離れた位置にある前記踵載部を下地に近づけるように前記踵載部に前記第２の力を印加する第１の動作を前記トレーニング対象者に行わせるための第１の文字情報および第１の画像情報を表示する第１の処理と、前記第１の文字情報および前記第１の画像情報を表示した後、前記踵載部に印加する下地方向への力を前記第２の力よりも弱くする第２の動作を前記トレーニング対象者に行わせるための第２の文字情報および第２の画像情報を表示する第２の処理とを実行する表示部と、
前記第１の文字情報および前記第１の画像情報の表示に同期して、前記踵載部に前記第１の動作を行うための第１の音声情報を再生して外部へ出力する第３の処理と、前記第２の文字情報および前記第２の画像情報の表示に同期して、前記第２の動作を前記トレーニング対象者に行わせるための第２の音声情報を再生して外部へ出力する第４の処理とを実行する再生部とを備える、トレーニング指導装置。
【請求項２】
前記表示部は、前記トレーニング対象者の両方の足について前記第１の処理と前記第２の処理とを少なくとも１回づつ実行し、
前記再生部は、前記トレーニング対象者の両方の足について前記第３の処理と前記第４の処理とを少なくとも１回づつ実行する、請求項１に記載のトレーニング指導装置。
【請求項３】
トレーニング対象者を撮影する撮影手段を更に備え、
前記表示部は、前記撮影手段によって撮影された前記トレーニング対象者の画像を表示する、請求項１または請求項２に記載のトレーニング指導装置。
【請求項４】
指導通りの動作を行うように前記トレーニング対象者を指導するための第３の音声情報を入力する入力手段を更に備え、
前記再生手段は、前記入力手段によって入力された前記第３の音声情報を再生して外部へ出力する、請求項１から請求項３のいずれか１項に記載のトレーニング指導装置。
【請求項５】
前記トレーニング指導器具の前記制御部は、
筒状形状を有する部材の内部に配置された第１および第２の空間部と、
前記第１の空間部と前記第２の空間部との間に配置され、前記第１の空間部の圧力と前記第２の空間部の圧力との差によって前記部材の軸方向へ移動可能な仕切弁と、
一方端が前記仕切弁に連結され、他方端が前記踵載部に連結された支持部材とを有し、
前記支持部材は、
下地上に配置される第１の支持部材の軸の周りに回動可能に前記第１の支持部材に取り付けられた回動部と、
一方端が前記回動部に連結されるとともに他方端が前記踵載部に連結され、前記回動部の回動に伴って前記他方端が上方向または下地方向へ移動するように回動する回動部材と、
一方端が前記仕切弁に連結されるとともに他方端が前記回動部に連結され、前記回動部の回動に伴って前記第１の空間部から前記第２の空間部の方向または前記第２の空間部から前記第１の空間部の方向へ前記仕切弁を移動させる第２の支持部材とを含み、
前記制御部は、
前記第１の制御において、前記第２の力が前記トレーニング対象者によって前記踵載部に印加されたことに応じて、前記回動部材の他方端が下地方向へ移動するように前記回動部を回動させるとともに、前記第１の空間部の体積が小さくなるように、前記回動部の回動に伴って前記第２の支持部材を介して前記仕切弁を前記第２の空間部から前記第１の空間部の方向へ移動させ、
前記第２の制御において、前記トレーニング対象者によって前記踵載部に印加された下地方向への力が前記第２の力よりも弱くなったことに応じて、前記第２の空間部の体積が小さくなるように前記第２の空間部の圧力よりも高い前記第１の空間部の圧力によって前記仕切弁を前記第１の空間部から前記第２の空間部の方向へ移動させるとともに、前記回動部材の他方端が上方向へ移動するように、前記仕切弁の移動に伴って前記第２の支持部材を介して前記回動部および前記回動部材を回動させる、請求項１から請求項４のいずれか１項に記載のトレーニング指導装置。
【請求項６】
トレーニング指導器具を用いてトレーニング対象者に対する指導を実行するためのプログラムであって、
前記トレーニング指導器具は、
トレーニング対象者の足の親指の第２関節と、人指し指、中指、薬指および小指の第３関節とを押さえる押さえ部と、
前記トレーニング対象者の足の踵を載せるための踵載部と、
前記トレーニング対象者の前記第２関節および前記第３関節を前記押さえ部によって押さえた状態において、前記踵載部が下地から上方向へ離れた位置にあるときに前記踵載部に印加された下地から上方向への第１の力よりも強い下地方向への第２の力が前記トレーニング対象者によって前記踵載部に印加されたことに応じて前記踵載部を前記下地方向へ移動させ、前記踵載部が下地から上方向における最高位置よりも低い位置にあるときに前記トレーニング対象者によって前記踵載部に印加された下地方向への力が前記第２の力よりも弱くなったことに応じて前記踵載部を下地から上方向へ移動させる制御部とを備え、
前記プログラムは、
表示手段が、前記トレーニング対象者の足の前記第２関節および前記第３関節が前記押さえ部によって押さえられ、かつ、前記トレーニング対象者の足の踵が前記踵載部に着いた状態で、下地から上方向に離れた位置にある前記踵載部を下地に近づけるように前記踵載部に前記第２の力を印加する第１の動作を前記トレーニング対象者に行わせるための第１の文字情報および第１の画像情報を表示する第１の処理を実行する第１のステップと、
再生手段が、前記第１の文字情報および前記第１の画像情報の表示に同期して、前記踵載部に前記第１の動作を行うための第１の音声情報を再生して外部へ出力する第３の処理を実行する第２のステップと、
前記表示手段が、前記第１の文字情報および前記第１の画像情報を表示した後、前記踵載部に印加する下地方向への力を前記第２の力よりも弱くする第２の動作を前記トレーニング対象者に行わせるための第２の文字情報および第２の画像情報を表示する第２の処理とを実行する第３のステップと、
前記再生手段が、前記第２の文字情報および前記第２の画像情報の表示に同期して、前記第２の動作を前記トレーニング対象者に行わせるための第２の音声情報を再生して外部へ出力する第４の処理を実行する第４のステップとをコンピュータに実行させる、コンピュータに実行させるためのプログラム。
【請求項７】
前記表示手段は、前記トレーニング対象者の両方の足について前記第１のステップと前記第３のステップとを少なくとも１回づつ実行し、
前記再生手段は、前記トレーニング対象者の両方の足について前記第２のステップと前記第４のステップとを少なくとも１回づつ実行する、請求項６に記載のコンピュータに実行させるためのプログラム。
【請求項８】
撮影手段が、トレーニング対象者を撮影する第５のステップと、
前記表示手段が、前記撮影手段によって撮影された前記トレーニング対象者の画像を表示する第６のステップとを更にコンピュータに実行させる、請求項６または請求項７に記載のコンピュータに実行させるためのプログラム。
【請求項９】
入力手段が、指導通りの動作を行うように前記トレーニング対象者を指導するための第３の音声情報を入力する第７のステップと、
前記再生手段が、前記入力手段によって入力された前記第３の音声情報を再生して外部へ出力する第８のステップとを更にコンピュータに実行させる、請求項６から請求項８のいずれか１項に記載のコンピュータに実行させるためのプログラム。
【請求項１０】
前記トレーニング指導器具の前記制御部は、
筒状形状を有する部材の内部に配置された第１および第２の空間部と、
前記第１の空間部と前記第２の空間部との間に配置され、前記第１の空間部の圧力と前記第２の空間部の圧力との差によって前記部材の軸方向へ移動可能な仕切弁と、
一方端が前記仕切弁に連結され、他方端が前記踵載部に連結された支持部材とを有し、
前記支持部材は、
下地上に配置される第１の支持部材の軸の周りに回動可能に前記第１の支持部材に取り付けられた回動部と、
一方端が前記回動部に連結されるとともに他方端が前記踵載部に連結され、前記回動部の回動に伴って前記他方端が上方向または下地方向へ移動するように回動する回動部材と、
一方端が前記仕切弁に連結されるとともに他方端が前記回動部に連結され、前記回動部の回動に伴って前記第１の空間部から前記第２の空間部の方向または前記第２の空間部から前記第１の空間部の方向へ前記仕切弁を移動させる第２の支持部材とを含み、
前記制御部は、
前記第１の制御において、前記第２の力が前記トレーニング対象者によって前記踵載部に印加されたことに応じて、前記回動部材の他方端が下地方向へ移動するように前記回動部を回動させるとともに、前記第１の空間部の体積が小さくなるように、前記回動部の回動に伴って前記第２の支持部材を介して前記仕切弁を前記第２の空間部から前記第１の空間部の方向へ移動させ、
前記第２の制御において、前記トレーニング対象者によって前記踵載部に印加された下地方向への力が前記第２の力よりも弱くなったことに応じて、前記第２の空間部の体積が小さくなるように前記第２の空間部の圧力よりも高い前記第１の空間部の圧力によって前記仕切弁を前記第１の空間部から前記第２の空間部の方向へ移動させるとともに、前記回動部材の他方端が上方向へ移動するように、前記仕切弁の移動に伴って前記第２の支持部材を介して前記回動部および前記回動部材を回動させる、請求項６から請求項９のいずれか１項に記載のコンピュータに実行させるためのプログラム。
【請求項１１】
請求項６から請求項１０のいずれか１項に記載のプログラムを記録したコンピュータ読み取り可能な記録媒体。
【手続補正２】
【補正対象書類名】明細書
【補正対象項目名】発明の名称
【補正方法】変更
【補正の内容】
【発明の名称】トレーニング指導装置、コンピュータに実行させるためのプログラムおよびプログラムを記録したコンピュータ読み取り可能な記録媒体
【手続補正３】
【補正対象書類名】明細書
【補正対象項目名】０００１
【補正方法】変更
【補正の内容】
【０００１】
この発明は、トレーニング指導装置、コンピュータに実行させるためのプログラムおよびプログラムを記録したコンピュータ読み取り可能な記録媒体に関する。